(57)【要約】【課題】便器への取付強度の向上と、位置ずれを抑制することにより、使い勝手の良い衛生洗浄装置を提供すること。【解決手段】機能部材を内蔵する本体２００と、本体２００と着脱可能な本体固定板３００と、本体固定板３００を便器１１０の後部に配設された取付孔１１１を介して便器１１０に固定する主固定具３５０と、本体固定板３００を便器１１０の上面に係合させる副固定具３７０と、を含み、主固定具３５０は少なくともボルト３５１とナット３５２を含む螺合部材を備え、副固定具３７０は、本体固定板３００の下面と便器１１０上面にそれぞれ貼着された係合部材３７１を着脱可能に係合させることを特徴とすることにより、衛生洗浄装置の便器への取付強度を向上することができ、位置ずれを抑制することができ、長期間に亘り使い勝手の良い衛生洗浄装置を提供することができる。【選択図】図２
2018130242.tif 000002
【特許請求の範囲】
【請求項１】
機能部材を内蔵する本体と、
前記本体と着脱可能な本体固定板と、
前記本体固定板を便器の後部に配設された取付孔を介して前記便器に固定する主固定具と、
前記本体固定板を前記便器の上面に係合させる副固定具と、を含み、
前記主固定具は少なくともボルトとナットを含む螺合部材を備え、
前記副固定具は、前記本体固定板の下面と前記便器上面にそれぞれ設置された係合部材を着脱可能に係合させることを特徴とする、
衛生洗浄装置。
【請求項２】
前記係合部材は対面係合ファフナーで構成された、
請求項１に記載の衛生洗浄装置。
【請求項３】
前記係合部材は前記便器の前記取付孔より前方に配設されていることを特徴とする、
請求項１または２に記載の衛生洗浄装置。
【請求項４】
前記本体固定板は前記本体と一体に形成された、
請求項１〜３のいずれか１項に記載の衛生洗浄装置。
【発明の詳細な説明】
【技術分野】
【０００１】
本発明は、人体局部を洗浄する衛生洗浄装置を便器に設置する取付構造に関するものである。
【背景技術】
【０００２】
従来、この種の衛生洗浄装置の便器への取付構造は、予め便器に設けられた便座取付孔を使用し、固定板を便器上面にボルトとナットを介して固定し、固定板に衛生洗浄装置の本体をワンタッチ操作で着脱する構成であり、固定板の位置ずれ防止の目的で、ボルトに歯付座金およびパッキンを介装させる構成となっている（例えば、特許文献１参照）。
【０００３】
図１２（ａ）は、特許文献１に記載された従来の衛生洗浄装置の取付構造の全体構成を示すものであり、図１２（ｂ）は固定板の構成を示すものであり、図１２（ｃ）は衛生洗浄装置本体の下面の構成を示すものである。図１２（ａ）に示すように、便器１の後方には２個の便座取付孔１ａ設けられている。固定板２には便座取付孔１ａと同間隔で前後方向の長穴２ａが２個設けられており、便座取付孔１ａと長穴２ａを貫通するボルト３とナット４があり、固定板２の下面と便器１の上面との間には歯付座金５とパッキン６が介装される。また、便器１の便座取付孔１ａのナット４の間には三角パッキン７が介装され、ナット４を締め付けることにより固定板２が便器１の上面に固定される構成となっている。
【０００４】
図１２（ｂ）示すように、固定板２には長穴２ａと平行に前後方向に係止片２ｂが形成されている。また、図１２（ｃ）に示すように衛生洗浄装置の本体８の下面には固定板２の係止片２ｂと嵌合する凹部８ａが形成されており、固定板２を便器１に固定した状態で本体８を前方より押し込むことにより係止片２ｂと凹部８ａを嵌合させることにより、衛生洗浄装置を便器１に固定することができる。
【０００５】
また、別の取付構造として、固定板を使用しないで、衛生洗浄装置の本体をボルトとナットを介して便器の上面に固定する構成もある（例えば、特許文献２参照）。
【０００６】
図１３（ａ）は、特許文献２に記載された従来の衛生洗浄装置の本体を示すものであり、図１３（ｂ）は衛生洗浄装置の本体を便器に取付けた状態の断面を示すものである。図１３（ａ）に示すように、衛生洗浄装置の本体１０の下面には後方に開放されたフランジ１１を備えたＵ字状の係止溝１２が形成されている。図１３（ｂ）に示すように便器１３の便座取付孔１３ａに貫通させたボルト１４の頭部１４ａを便器１３の上面でフランジ１１を挟み込み、ボルト１４の便座取付孔１３ａの下方には、座金１５、ばね１６、座金１５を介してナット１７を締め付けることにより、本体８を便器１３に直接固定する構成となっている。
【先行技術文献】
【特許文献】
【０００７】
【特許文献１】特開２００４−２８３２１４号公報
【特許文献２】特開平１１−２９９６９３号公報
【発明の概要】
【発明が解決しようとする課題】
【０００８】
しかしながら、前記従来の構成では、衛生洗浄装置の便器への固定は２個のボルトおよびナットのみで行っている。また固定に使用する便器の便座取付孔は便器の後端近傍に設
けられており、この位置は衛生洗浄装置の本体の後方に位置することとなり、衛生洗浄装置の本体の前部は便器に固定されていないため本体の前部が浮き上がりやすく、便座および便蓋の開閉動作時に便座および便蓋が左右にぐらつき不安定な状態となる。また、便座および便蓋を強く開放させたときには本体の前部が浮き上がり、そのような動作を繰り返した場合に、ボルトおよびナットの締め付けが緩み、固定板および本体が移動し位置ずれが生じることがあり、使い勝手の面で未だ改良の余地があった。
【０００９】
本発明は、前記従来の課題を解決するもので、便座および便蓋の開閉動作時のぐらつきを抑制するとともに、本体の位置ずれを防止することにより使い勝手の良い衛生洗浄装置を提供することを目的とする。
【課題を解決するための手段】
【００１０】
前記従来の課題を解決するために、本発明の衛生洗浄装置は、機能部材を内蔵する本体と、本体と着脱可能な本体固定板と、本体固定板を便器の後部に配設された取付孔を介して便器に固定する主固定具と、本体固定板を便器の上面に係合させる副固定具と、を含み、主固定具は少なくともボルトとナットを含む螺合部材を備え、副固定具は、本体固定板の下面と便器上面にそれぞれ設置された係合部材を着脱可能に係合させることを特徴とするものである。
【００１１】
これにより、衛生洗浄装置の便器への取付強度を向上することができる。特に本体固定板の前部を固定することにより、本体の前部が浮き上がりを防止することができるので、便座および便蓋の開閉動作時のぐらつきの抑制と、主固定部のボルトとナットの緩みの発生を防止することができ、位置ずれを抑制することができ、長期間に亘り使い勝手の良い衛生洗浄装置を提供することができる。
【発明の効果】
【００１２】
本発明の衛生洗浄装置は、便器への取付強度の向上および位置ずれの抑制と、便座および便蓋の開閉動作時のぐらつきを抑制することができる。
【図面の簡単な説明】
【００１３】
【図１】実施の形態１における衛生洗浄装置を便器に設置した状態の斜視図
【図２】同衛生洗浄装置を便器に取付けるための部材の構成を示す斜視図
【図３】同衛生洗浄装置の本体の下面からの斜視図
【図４】同衛生洗浄装置の本体固定板の上面の斜視図
【図５】同衛生洗浄装置の本体固定板の下面の斜視図
【図６】同衛生洗浄装置の対面係合ファスナの外観を示す斜視図
【図７】対面係合ファスナの係合状態を示す模式図
【図８】対面係合ファスナを便器の上面に貼着した状態の斜視図
【図９】本体固定板を便器に取付けた状態を示す斜視図
【図１０】実施の形態２における衛生洗浄装置の本体の下面からの斜視図
【図１１】実施の形態２のボルトと係合ファスナを便器に取付けた状態を示す斜視図
【図１２】（ａ）は特許文献１に記載された従来の衛生洗浄装置の取付構造の全体構成を示す斜視図、（ｂ）は固定板の上面の斜視図、（ｃ）は衛生洗浄装置本体の下面の斜視図
【図１３】（ａ）は特許文献２に記載された従来の衛生洗浄装置の本体の斜視図、（ｂ）は本体を便器に取付けた状態の断面図
【発明を実施するための形態】
【００１４】
第１の発明は、機能部材を内蔵する本体と、前記本体と着脱可能な本体固定板と、前記本体固定板を便器の後部に配設された取付孔を介して前記便器に固定する主固定具と、前
記本体固定板を前記便器の上面に係合させる副固定具と、を含み、前記主固定具は少なくともボルトとナットを含む螺合部材を備え、前記副固定具は、前記本体固定板の下面と前記便器上面にそれぞれ設置された係合部材を着脱可能に係合させることを特徴とする、  衛生洗浄装置。
【００１５】
これにより、衛生洗浄装置の便器への取付強度を向上することができる。特に本体固定板の前部を固定することにより、本体の前部が浮き上がりを防止することができるので、便座および便蓋の開閉動作時のぐらつきの抑制と、主固定部のボルトとナットの緩みの発生を防止することができ、位置ずれを抑制することができ、長期間に亘り使い勝手の良い衛生洗浄装置を提供することができる。
【００１６】
第２の発明は、特に、第１の発明において、前記係合部材は対面係合ファフナーで構成されたものである。
【００１７】
これにより、衛生洗浄装置の位置ずれを抑制することができるとともに、位置調整を容易に実施することができ、設置作業を容易に実施することができる。
【００１８】
第３の発明は、特に、第１または第２の発明において、前記係合部材は前記便器の前記取付孔より前方に配設されていることを特徴とするものである、
これにより、本体の前部の浮き上がり防止の効果を向上することができ、位置ずれを効果的に抑制することができる。
【００１９】
第４の発明は、特に、第１〜第３のいずれか１つの発明において、前記本体固定板は前記本体と一体に形成されたものである。
【００２０】
これにより、取付強度と位置ずれ抑制の効果を備えた衛生洗浄装置を低コストで提供することができる。
【００２１】
以下、本発明の実施の形態について、図面を参照しながら説明する。なお、この実施の形態によって本発明が限定されるものではない。
【００２２】
（実施の形態１）
図１は本実施の形態における衛生洗浄装置を便器上に設置した状態の外観の斜視図である。
【００２３】
＜１＞衛生洗浄装置の構成
図１に示すように、衛生洗浄装置１００は、本体２００と、本体２００の側部に一体に設けられた操作部２１０と、本体２００に回動自在に枢支された便座２２０と便蓋２３０により構成され、便器１１０の上面に設置される。
【００２４】
なお、本実施の形態においては衛生洗浄装置１００の本体２００の設置側を後方、便座４００の設置側を前方とし、後方より前方に向かって右側を右方、左側を左方として各構成要素の配置を説明する。
【００２５】
本体２００には、便座２２０および便蓋２３０がダンパを備えた回動機構を介して開閉可能に取り付けられている。図１に示すように便蓋２３０を開放した状態においては、便蓋２３０は衛生洗浄装置の最後部に位置するように起立し、便蓋２３０を閉蓋した状態では便座２２０の上面と本体２００の一部を隠蔽する。
【００２６】
便座２２０は図１に示すように便器１１０の上面に倒置された状態から、本体２００の
後部に起立する。便座２２０の内部には便座２２０の着座面を保温する便座ヒータ（図示せず）が設置されている。
【００２７】
本体２００の内部には衛生洗浄装置の主機能である洗浄装置（図示せず）と、脱臭装置（図示せず）と、制御部（図示せず）等の電気的および機械的な機能部材が組み込まれている。
【００２８】
本体２００の右側部には前方に突出するように操作部２１０が設けられており、衛生洗浄装置１００の各機能を操作する複数のスイッチ２１１と表示灯２１２が設置されている。
【００２９】
＜２＞衛生洗浄装置の便器への取付構造
図２は衛生洗浄装置を便器に取付けるための部材の構成を示す斜視図であり、図３は衛生洗浄装置の本体の下面からの斜視図であり、図４は本体固定板の上面の斜視図であり、図５は本体固定板の下面の斜視図であり、図６対面係合ファスナの外観を示す斜視図であり、図７は対面係合ファスナの係合状態を示す模式図である。
【００３０】
本実施の形態の衛生洗浄装置１００の基本的な取付構造としては、まず便器１１０に本体固定板３００を固定し、本体固定板３００に本体２００を係合させる構成となっている。
【００３１】
図２に示すように、衛生洗浄装置１００の本体２００の便器１１０への取付構造に関わる部材としては、本体固定板３００と、本体固定板３００を便器１１０の便座取付孔１１１を介して便器１１０に取付ける主固定具３５０と、本体固定板３００を便器１１０の上面に係合させる副固定具３７０で構成されている。
【００３２】
図３に示すように本体２００の下面には、幅の広い係合溝２４０が前後方向に平行に２本形成されており、係合溝２４０の両側部にそれぞれフランジ２４１が一体に形成されている。
【００３３】
本体２００の下面中央の後端部には本体２００を本体固定板３００の所定の位置に係止するストッパ２５０が設置されている。ストッパ２５０は本体２００を本体固定板３００の所定の位置に設置すると弾性により自動的に係止するとともに、本体２００の側面に設置されたストッパボタン２５１を押すことにより開放される構成となっている。
【００３４】
図４に示すように、本体固定板３００は樹脂材料で一体に成型された部材であり、中央部が後退した略コの字状の平板である。前方に突出した両方の側部３１０には前後方向の長穴３２０が平行に２個形成されている。２個の長穴３２０は便器１１０の便座取付孔１１１の間隔と同じ間隔で設けられている。長穴３２０の底部の両側には全長に亘ってフランジ３２１が一体に形成されている。
【００３５】
また、前方に突出した両方の側部３１０の前後方向の周辺の上部に係合フランジ３１１が一体に形成されている。また、本体固定板３００の中央の後端部には本体２００のストッパ２５０を係合させるストッパ突起３３０が一体に形成されている。
【００３６】
主固定具３５０は、ボルト３５１とナット３５２と複数のパッキンで構成されている。ボルト３５１は略正方形の頭部３５１ａを備え、本体固定板３００と便器１１０の便座取付孔１１１を貫通させるのに十分な長さを備えている。ナット３５２はボルト３５１に螺合する樹脂材料で整形されたものであり、手で締め付けやすい形状になっている。パッキンはゴム製の第一ゴムパッキン３５３と第二ゴムパッキン３５４と、ゴム製の三角パッキ
ン３５５と、摩擦係数の低い樹脂で成型された樹脂パッキン３５６で構成されている。
【００３７】
第一ゴムパッキン３５３はボルト３５１の頭部３５１ａと本体固定板３００との間に介装され、第二ゴムパッキン３５４は本体固定板３００と便器１１０の上面との間に介装され、三角パッキン３５５は便器１１０の便座取付孔１１１の下に配置され、樹脂パッキン３５６は三角パッキン３５５とナット３５２との間に介装される。
【００３８】
副固定具３７０として使用する係合部材としては、対向する２枚の対面係合ファスナが２組で構成されており、図５に示すように本体固定板３００の下面の前方の左右の所定位置に固定対面係合ファスナ３７１が予め貼着されている。また、対向する貼着対面係合ファスナ３７２は衛生洗浄装置１００の設置時に便器１１０の上面に貼着させる構成となっている。
【００３９】
図６は貼着対面係合ファスナ３７２の構成を示す斜視図であり、貼着対面係合ファスナ３７２は樹脂製のベース板３７２ａに頭部が略半球形状のキノコ状の突起３７２ｂが前後左右列を成すように複数配置されている。またベース板３７２ａの裏面には粘着剤が添付されている。また、固定対面係合ファスナ３７１も同様の構成となっており、ベース板の裏面に添付された粘着剤により本体固定板３００の下面に貼着されている。
【００４０】
なお、固定対面係合ファスナ３７１も貼着対面係合ファスナ３７２と同様にベース板３７１ａに突起３７１ｂが配置されている。
【００４１】
図７に示すように、固定対面係合ファスナ３７１と貼着対面係合ファスナ３７２を重ねて押し付けると、頭部が相互に係合することにより強い結合力が発揮され、固定対面係合ファスナ３７１と貼着対面係合ファスナ３７２は剥離させるには強い力を要する。また、係合させた固定対面係合ファスナ３７１と貼着対面係合ファスナ３７２を前後または左右に移動させる場合は剥離させるよりも比較的弱い力で移動させることができる。
【００４２】
＜４＞衛生洗浄装置の便器への取付工程
便座取付孔１１１が配置されている便器１１０の上面の左右の所定位置にそれぞれ貼着対面係合ファスナ３７２を粘着固定する。所定位置は、便座取付孔１１１より所定距離前方で、左右所定の間隔をあけた位置である。
【００４３】
便器１１０の便座取付孔１１１に合わせて第二ゴムパッキン３５４を配置し、本体固定板３００の長穴３２０を便座取付孔１１１に合わせて本体固定板３００を載置する。
【００４４】
ボルト３５１に第一ゴムパッキン３５３を嵌め込み、ボルト３５１を本体固定板３００の上方より、本体固定板３００の長穴３２０、第二ゴムパッキン３５４、便座取付孔１１１の順に挿入する。挿入したボルト３５１の下方より三角パッキン３５５、樹脂パッキン３５６を嵌め込み、その下方よりナット３５２をねじ込む。ナット３５２は手で締め付けることにより本体固定板３００の仮固定が完了する。
【００４５】
本体固定板３００の仮固定ができた段階で、本体２００の係合溝２４０を本体固定板３００の係合フランジ３１１に合わせて本体２００を前方より押し込むことにより、係合溝２４０と係合フランジ３１１が係合し、本体２００を奥まで押し込むことにより本体２００のストッパ２５０が本体固定板３００のストッパ突起３３０に係合して本体２００が本体固定板３００の所定位置に固定される。
【００４６】
この段階で本体２００の便器１１０への仮固定が完了する。仮固定の状態で本体２００と便器１１０との位置関係を確認し、特に前後方向の位置が適切ではない場合は、本体２
００を前後に強く押したり引いたりすることにより、本体２００を適切な位置に移動させることができる。
【００４７】
本体が適切な位置に配置できた段階でナット３５２を強く締め付けることにより、本体の２００便器への取付作業が完了する。
【００４８】
上記のように、本実施の形態における衛生洗浄装置は、本体固定板３００の後部をボルト３５１とナット３５２を主な構成部材とする主固定具３５０で便座取付孔１１１を介して便器１１０に固定するとともに、本体固定板３００の前部を固定対面係合ファスナ３７１と貼着対面係合ファスナ３７２で構成する副固定具３７０で便器１１０に固定することが可能となり、衛生洗浄装置１００の便器１１０への取付強度を向上することができる。
【００４９】
特に本体固定板３００の前部を固定することにより、便座および便蓋の開閉動作時のぐらつきを抑制することができ、便座および便蓋の開閉動作の安定性を向上することができる。また、便蓋２３０あるいは便座２２０を強い力で開放した場合でも本体２００の前部が浮き上がりを防止することができるので、主固定具３５０のボルト３５１とナット３５２の緩みの発生を防止することができ、位置ずれを抑制することができ、長期間に亘り使い勝手の良い衛生洗浄装置を提供することができる。
【００５０】
また、副固定具３７０に対面係合ファスナを使用することにより、便蓋２３０あるいは便座２２０の開閉に伴う上下方向の応力に対しては強い抗力を発揮することにより、衛生洗浄装置の位置ずれを抑制することができる。また、仮固定時の位置調整で発生する前後方向の移動に対しては比較的弱い抗力となるため、位置調整を容易に実施することができ、設置作業を容易に実施することができる。
【００５１】
なお、本実施の形態においては、副固定具として対面係合ファスナを使用したがこれに限るものではなく、他の面ファスナでも近似の効果を得ることができる。また、本体固定板の下面に係合溝を形成し、便器の表面に係合片を貼着、係合溝と係合片を係合させる構成等も考えられる。
【００５２】
また、対面係合ファスナはベース板の裏面に添付された粘着剤により貼着されたが、この構成に限るものではなく、接着剤により接着固定される構成、またはビス等により機械的に固定される構成でも良い。
【００５３】
（実施の形態２）
図１０は本実施の形態における衛生洗浄装置の下面からの斜視図である。図１１は衛生洗浄装置を便器に取付けるための部材の構成を示す斜視図である。
【００５４】
本実施の形態が実施の形態と基本的に異なるのは、実施の形態１が本体固定板３００を介して本体２００を便器１１０に固定する構成であるのに対し、本実施の形態においては本体固定板３００を本体と一体に形成し、本体に直接固定する構成である。
【００５５】
図１０に示すように、衛生洗浄装置５００の本体５１０の下面には後方に開放されたフランジ５１１ａを備えたＵ字状の係止溝５１１が形成されている。また、本体５１０の下面の前方には左右にそれぞれ固定対面係合ファスナ５１２が貼着されている。
【００５６】
図１１に示すように、主固定具は、ボルト５１３とナット（図示せず）とゴム製の三角パッキン（図示せず）で構成されている。ボルト５１３は略正方形の頭部５１３ａを備え、便器１１０の便座取付孔（図示せず）を貫通させるのに十分な長さを備えている。ナットはボルト５１３に螺合する六角ナットである。
【００５７】
副固定具は対面係合ファスナで構成されており、図１０に示すように本体５１０の下面の前方の左右の所定位置に固定対面係合ファスナ５１２がそれぞれ予め貼着されている。また、対向する貼着対面係合ファスナ５１４は衛生洗浄装置の設置時に便器１１０の上面に貼着させる構成となっている。
【００５８】
上記構成の衛生洗浄装置を便器への取付工程は、まず、便座取付孔１１１が配置されている便器１１０の上面の左右の所定位置にそれぞれ貼着対面係合ファスナ５１４を粘着固定する。所定位置は、便座取付孔１１１より所定距離前方で、左右所定の間隔をあけた位置である。
【００５９】
次に、２本のボルト５１３を便座取付孔１１１にそれぞれ挿入し下方より三角パッキン（図示せず）とナット（図示せず）を取付ける。この状態で本体５１０を便器１１０の上面に載置し、本体５１０の係止溝５１１にボルト５１３の頭部を挿通し、本体５１０を所定の位置まで押し込み、ナットを締め付けて固定する。
【００６０】
上記のように、本実施の形態における衛生洗浄装置５００は、本体５１０の後部をボルト５１３とナット（図示せず）を主な構成部材とする主固定部で便座取付孔１１１を介して便器１１０に固定するとともに、本体５１０の前部を固定対面係合ファスナ５１２と貼着対面係合ファスナ５１４で構成する副固定具で便器１１０に固定することが可能となり、実施の形態１と同様な効果を得ることができるとともに、本体固定板を使用しないシンプルな構成であるので、低コストで使い勝手の良い衛生洗浄装置を提供することができる。
【産業上の利用可能性】
【００６１】
以上のように、本発明にかかる衛生洗浄装置は設置状態の位置ずれを抑制することが可能となるので、固定して使用する他の家電機器等の用途にも適用できる。
【符号の説明】
【００６２】
１００  衛生洗浄装置
１１０  便器
１１１  便座取付孔（取付孔）
２００  本体
３００  本体固定板
３５０  主固定具
３５１  ボルト
３５２  ナット
３７０  副固定具
３７１  固定対面係合ファスナ（対面係合ファスナ）
３７２  貼着対面係合ファスナ（対面係合ファスナ）
５００  衛生洗浄装置
５１０  本体
５１２  固定対面係合ファスナ（対面係合ファスナ）
５１３  ボルト
５１４  貼着対面係合ファスナ（対面係合ファスナ）
【図１】
2018130242.tif 000003
【図２】
2018130242.tif 000004
【図３】
2018130242.tif 000005
【図４】
2018130242.tif 000006
【図５】
2018130242.tif 000007
【図６】
2018130242.tif 000008
【図７】
2018130242.tif 000009
【図８】
2018130242.tif 000010
【図９】
2018130242.tif 000011
【図１０】
2018130242.tif 000012
【図１１】
2018130242.tif 000013
【図１２】
2018130242.tif 000014
【図１３】
2018130242.tif 000015